(57)【要約】【課題】壁と幅木材との締結を嵌め込み式とすることで、簡単に組立てられる構造としたエレベータのかご室を得る。【解決手段】かご室を構成する壁１と、壁の下端部に上端部が取り付けられ、換気口２ｄが設けられた幅木材２と、幅木材の前面に該幅木材を覆うように着脱自在に取り付けられ、換気口３ｃが設けられた幅木化粧カバー３とを備え、壁の下端部及び幅木材の上端部の双方に、壁を上方から前記幅木材へ装着した状態で、互いに弾性的に嵌め込み係合されて両者を結合する装着手段を設け、かつ、幅木化粧カバーの上端部に、幅木化粧カバーを幅木材の前面に装着した状態で、壁の下端部と幅木材の上端部との嵌め込み係合状態を保持する保持手段を設ける。【選択図】図３
2008024384.tif 000002
【特許請求の範囲】
【請求項１】
かご室を構成する壁と、
前記壁の下端部に上端部が取り付けられ、換気口が設けられた幅木材とを備え、
前記壁の下端部及び前記幅木材の上端部の双方に、前記壁を上方から前記幅木材へ装着した状態で、互いに弾性的に嵌め込み係合されて前記両者を結合する装着手段を設けたことを特徴とするエレベータのかご室。
【請求項２】
壁の下端部に設けられた一方の装着手段は、断面Ｌ字状の装着部及びその下向き先端部に設けられた弾性係合片から構成され、幅木材の上端部に設けられた他方の装着手段は、前記断面Ｌ字状の装着部の内側に配置される鉤型装着部から構成されていることを特徴とする請求項１記載のエレベータのかご室。
【請求項３】
かご室を構成する壁と、
前記壁の下端部に上端部が取り付けられ、換気口が設けられた幅木材と、
前記幅木材の前面に該幅木材を覆うように着脱自在に取り付けられ、換気口が設けられた幅木化粧カバーとを備え、
前記壁の下端部及び前記幅木材の上端部の双方に、前記壁を上方から前記幅木材へ装着した状態で、互いに弾性的に嵌め込み係合されて前記両者を結合する装着手段を設け、かつ、前記幅木化粧カバーの上端部に、前記幅木化粧カバーを前記幅木材の前面に装着した状態で、前記壁の下端部と前記幅木材の上端部との嵌め込み係合状態を保持する保持手段を設けたことを特徴とするエレベータのかご室。
【請求項４】
壁の下端部に設けられた一方の装着手段は、断面Ｌ字状の装着部及びその下向き先端部に設けられた弾性係合片から構成され、幅木材の上端部に設けられた他方の装着手段は、前記弾性係合片が挿入・装着される装着用の係合穴から構成され、幅木化粧カバーの上端部に設けられた保持手段は、前記弾性係合片を係止する弾性装着部から構成されていることを特徴とする請求項３記載のエレベータのかご室。
【請求項５】
壁の下端部に設けられた一方の装着手段は、下端垂直フランジ部及びこのフランジ部に設けられた係合部から構成され、幅木材の上端部に設けられた他方の装着手段は、前記下端垂直フランジ部が挿入・装着される装着溝を有する装着部及び前記係合部と互いに係合する係合部から構成され、幅木化粧カバーの上端部に設けられた保持手段は、下端垂直フランジ部の上端引っ掛り部を係止する引っ掛り係合部を先端に有する弾性装着部から構成されていることを特徴とする請求項３記載のエレベータのかご室。
【発明の詳細な説明】
【技術分野】
【０００１】
この発明は、エレベータのかご室に関するものである。
【背景技術】
【０００２】
従来のエレベータのかご室の構造を図１及び図１２に示す。図において、１はかご室を構成する壁、２は幅木材、３は幅木化粧カバー、４はかご床、５はかご床４上に貼られたタイル、６はかご操作盤、７は天井照明、８はボルト・ナット、である。なお、壁１と幅木材２との間に換気用の隙間９が形成されている。
従来のエレベータのかご室においては、壁１の下端部と幅木材２の上端部との締結にボルト・ナット８を使用している。また、壁１と幅木材２との間に換気用の隙間９が設けられている。
【０００３】
また、他の従来技術として、幅木材のフランジ状部の上に壁板の締結部を重合して幅木材の上に壁板を立設する。そして、壁板の締結部に予め装着したクリップが弾性変形し第一屈曲部、第二屈曲部及び第三屈曲部によって幅木材のフランジ状部に嵌着するエレベータのかご室が提案されている（例えば、特許文献１参照）。
【０００４】
【特許文献１】特開２００５−３４３５７３号公報
【発明の開示】
【発明が解決しようとする課題】
【０００５】
従来のエレベータのかご室では、壁１の下端部と幅木材２の上端部との締結にボルト・ナット８を使用しているため、かご室の組立てに時間がかかっていた。また、壁１と幅木材２との間に換気用の隙間９が設けられているため、意匠性を損なっている。
また、他の従来技術のエレベータのかご室では、壁板と幅木材を締結するためにボルト・ナットに代わる締結部品を必要としており、高価となっていた。
【０００６】
この発明は上記のような課題を解決するためになされたもので、壁と幅木材との締結を嵌め込み式とすることで、簡単に組立てられる構造としたエレベータのかご室を提供するものである。
【課題を解決するための手段】
【０００７】
この発明に係るエレベータのかご室は、かご室を構成する壁と、壁の下端部に上端部が取り付けられ、換気口が設けられた幅木材とを備え、壁の下端部及び幅木材の上端部の双方に、壁を上方から幅木材へ装着した状態で、互いに弾性的に嵌め込み係合されて両者を結合する装着手段を設けたものである。
【０００８】
また、この発明に係るエレベータのかご室は、かご室を構成する壁と、壁の下端部に上端部が取り付けられ、換気口が設けられた幅木材と、幅木材の前面に該幅木材を覆うように着脱自在に取り付けられ、換気口が設けられた幅木化粧カバーとを備え、壁の下端部及び幅木材の上端部の双方に、壁を上方から前記幅木材へ装着した状態で、互いに弾性的に嵌め込み係合されて両者を結合する装着手段を設け、かつ、幅木化粧カバーの上端部に、幅木化粧カバーを幅木材の前面に装着した状態で、壁の下端部と幅木材の上端部との嵌め込み係合状態を保持する保持手段を設けたものである。
【発明の効果】
【０００９】
この発明によれば、ボルト・ナットなどの他の部品を一切用いずに壁が幅木材から抜けるのを防ぐ構造となっており、部品点数の削減が見込める。また、壁と幅木材の締結は幅木カバーで固定しているので、ボルト・ナットによる締め付け時間に比べて作業時間を大幅に削減することができる。また、幅木材の幅木カバーのかご室から見えない位置に換気口を設けたので、意匠性を損なう恐れがないという効果がある。
【発明を実施するための最良の形態】
【００１０】
実施の形態１.
図１は一般的なエレベータのかご室の概略構造を示す透視斜視図、図２はこの発明の実施の形態１におけるエレベータかご室の要部構造を分解して示す斜視図、図３はこの発明の実施の形態１におけるエレベータかご室の要部構造を示す縦断面図、図４はこの発明の実施の形態１におけるエレベータかご室の要部構造の組立て手順を示す説明図である。
【００１１】
図において、１はかご室を構成する壁、２は幅木材、３は幅木材２の前面に設けられた幅木化粧カバー、４はかご床、５はかご床４上に貼られたタイル、６はかご操作盤、７は天井照明である。
上記かご室の壁１には、壁本体１ａの下端部に装着手段が設けられている。壁１の装着手段は、壁本体１ａの下端部を折り返してヘアピン状となるように重ね合わされた下端重合フランジ部１ｂと、この下端重合フランジ部１ｂの折り返し上端部に連続して形成され、水平方向に少し延長してから下向きに折り曲げられた断面Ｌ字状の装着部１ｃと、この装着部１ｃの下向きの先端部に所定の間隔を置いて等間隔に設けられ、内側に微小に曲げられてばね効果を有するく字状の弾性係合片１ｄとから構成されている。また、上記幅木材２には、幅木材本体２ａの上端部に装着手段が設けられている。幅木材２の装着手段は、幅木材本体２ａの上端部に形成された階段部２ｂと、この階段部２ｂの上部水平面に設けられ、上記壁１の弾性係合片１ｄが挿入・装着される複数個の換気口を兼ねた壁装着用の係合穴２ｃと、階段部２ｂの下部水平面に設けられた複数個の換気口２ｄと、階段部２ｂの上端部前縁を下向きに折り曲げられ、上記壁１の下端重合フランジ部１ｂの裏面と弾性係合片１ｄとの間に配置される接合フランジ部２ｅとから構成されている。また、上記幅木化粧カバー３には、弾性材料からなる幅木化粧カバー本体３ａの上端部に保持手段が設けられている。幅木化粧カバー３の保持手段は、幅木化粧カバー本体３ａの上端部に形成され、外向き傾斜部及び内向き傾斜部からなるく字状の弾性装着部３ｂから構成されている。また、幅木化粧カバー３の上下端の外向き傾斜部には複数個の換気口３ｃがそれぞれ設けられている。
【００１２】
次に、組立て手順について、図４により説明する。
先ず、図４（ａ）に示すように、幅木材２の階段部２ｂの上部水平面に設けられた複数個の換気口を兼ねた壁装着用の係合穴２ｃに、壁１の下端部の弾性係合片１ｄを上方から挿入・装着する。この時、壁１の下端重合フランジ部１ｂの裏面に幅木材２の接合フランジ部２ｅが接合される。次に、図４（ｂ）に示すように、幅木化粧カバー３の上端部に形成されたく字状の弾性装着部３ｂを、上記幅木材２の階段部２ｂの内面と上記壁１の下端部の弾性係合片１ｄとの間に挿入しながら、図４（ｃ）、（ｄ）に示すように、幅木化粧カバー３の下端部をその弾性を利用して幅木材２側に押し込む。これにより、かご室の内側から、壁１の下端重合フランジ部１ｂ、幅木材２の接合フランジ部２ｅ及び弾性係合片１ｄが、幅木化粧カバー３の上端部に形成されたく字状の弾性装着部３ｂの先端部により弾性的に装着される。
【００１３】
以上のように、この発明の実施の形態１によれば、ボルト・ナットなどの他の部品を一切用いずに壁が幅木材から抜けるのを防ぐ構造となっており、部品点数の削減が見込める。また、壁と幅木材の締結は幅木カバーで固定しているので、ボルト・ナットによる締め付け時間に比べて作業時間を大幅に削減することができる。また、幅木材の幅木カバーのかご室から見えない位置に換気口を設けたので、意匠性を損なう恐れがない。
【００１４】
実施の形態２.
図５はこの発明の実施の形態２におけるエレベータかご室の要部構造を分解して示す斜視図、図６はこの発明の実施の形態２におけるエレベータかご室の幅木化粧カバーを示す斜視図、図７はこの発明の実施の形態２におけるエレベータかご室の要部構造を示す縦断面図、図８はこの発明の実施の形態２におけるエレベータかご室の要部構造を分解して示す斜視図、図９は図８の要部を示す部分断面図、図１０はこの発明の実施の形態２におけるエレベータかご室の要部構造の組立て手順を示す説明図である。
【００１５】
図において、かご室の壁１の装着手段は、壁本体１ａの下端部を外側に水平方向に少し延長して形成した水平フランジ部１ｅと、この水平フランジ部１ｅの下端部から下向きに延長し更に折り返してヘアピン状となるように重ね合わされた下端垂直重合フランジ部１ｆと、この下端垂直重合フランジ部１ｆの折り返し上端部を内側に水平方向に折り曲げて上記水平フランジ部１ｅ上に重合された引っ掛り部１ｇと、上記下端垂直重合フランジ部１ｆに設けられた複数の穴１ｈとから構成されている。また、上記幅木材２の装着手段は、幅木材本体２ａの上端部に水平方向に延長するように設けられた上端水平フランジ部２ｆと、この上端水平フランジ部２ｆの水平部に設けられた複数の換気口２ｄと、上記上端水平フランジ部２ｆの中央部を断面Ｕ字状に形成して、上記壁１の下端垂直重合フランジ部１ｅが挿入・装着される装着溝２ｇを設けた装着部２ｈと、上端水平フランジ部２ｆの先端部に設けられ、上記壁１の水平フランジ１ｅを載置する載置部２ｉと、上記断面Ｕ字状の装着部２ｈに突出形成され、上記壁１の下端垂直重合フランジ部１ｅが装着溝２ｇに挿入・装着された時、複数の穴１ｈにそれぞれ嵌め込まれる凸部２ｊとから構成されている。また、上記幅木化粧カバー３の保持手段は、弾性材料からなる断面Ｕ字状の幅木化粧カバー本体３ａと、上記幅木化粧カバー本体３ａの外側部上端に所定の間隔で突出形成され、上記幅木材２の複数の換気口２ｄを通って幅木材２の上端水平フランジ部２ｆの外側に突出して、先端部の引っ掛り係合部３ｄが上記壁１の引っ掛り部１ｇに係合する弾性装着部３ｅとから構成されている。また、幅木化粧カバー本体３ａの底面部に複数個の換気口３ｃが設けられている。
【００１６】
次に、組立て手順について、図１０により説明する。
先ず、図１０（ａ）に示すように、幅木材２の上端水平フランジ部２ｆの中央部に設けられた装着溝２ｇに、壁１の下端垂直重合フランジ部１ｅを上方から挿入・装着する。この装着が行われると、図１０（ｂ）に示すように、壁１の水平フランジ部１ｅが幅木材２の上端水平フランジ部２ｆの先端部に設けられた載置部２ｉ上に載置される。また同時に、上記壁１の下端垂直重合フランジ部１ｅに設けられた複数の穴１ｈに上記幅木材２の断面Ｕ字状の装着部２ｈに設けられた凸部２ｊがそれぞれ嵌め込まれる。次に、図１０（ｃ）に示すように、幅木化粧カバー３の外側部上端に所定の間隔で突出形成された弾性装着部３ｅの先端部を、上記幅木材２の複数の換気口２ｄに通して幅木材２の上端水平フランジ部２ｆの外側に突出させる。この時、幅木化粧カバー３の後端、すなわち内側部上端が壁１面に当たるが、幅木化粧カバー３が弾性変形するので、そのまま矢印方向へ回転することができる。これにより、図１０（ｄ）に示すように、幅木カバー３の下端部をその弾性を利用して幅木材２側に押し込み、最後に幅木化粧カバー３の弾性装着部３ｅの引っ掛かり係合部３ｄが壁１の引っ掛り部１ｇに確実に係合装着されているかどうか確認する。
【００１７】
この発明の実施の形態２によれば、実施の形態１とほぼ同様の効果が得られる。
【００１８】
実施の形態３.
図１１はこの発明の実施の形態３におけるエレベータかご室の要部構造を示す縦断面図である。
【００１９】
エレベータは物件によってかご室の仕様が異なり、その中には幅木化粧カバーを取り付けない場合もある。その場合は、実施の形態１及び２のように幅木化粧カバーで壁を固定することができなくなる。そこで、幅木化粧カバーを取り付けない仕様に対する構造として、図１１に示す構造とする。
【００２０】
図１１において、かご室の壁１は、壁本体１ａと、壁本体１ａの下端部を折り返してヘアピン状となるように重ね合わされた下端重合フランジ部１ｂと、この下端重合フランジ部１ｂの折り返し上端部に連続して形成され、水平方向に延長してから下向きに折り曲げられた断面Ｌ字状の装着部１ｃと、この装着部１ｃの下向きの先端部に設けられ、内側に微小に曲げられてばね効果を有する弾性係合片１ｉとから構成されている。また、上記幅木材２は、幅木材本体２ａと、幅木材本体２ａの上端部に設けられ、複数個の換気口２ｄが形成された上端水平フランジ部２ｋと、この上端水平フランジ部２ｋの前縁を上向きに折り曲げられ、上記壁１の下端重合フランジ部１ｂの裏面に接合する垂直部２ｌと、この垂直部に連続して設けられ、断面Ｌ字状の装着部１ｃの内面に沿って配置される鉤型装着部２ｍとから構成されている。
【００２１】
組立てに当たっては、壁１の下端重合フランジ部１ｂを上方から幅木材２の垂直部２ｌの裏面に接合させると同時に、壁１の断面Ｌ字状の装着部１ｃを上方から幅木材２の鉤型装着部２ｍに嵌め合わせる。すると、装着部１ｃの先端部の弾性係合片１ｉが鉤型装着部２ｍの先端縁部に引っ掛り、ボルト・ナット無しで固定することができる。
【００２２】
この発明の実施の形態３によれば、幅木化粧カバーが不要となり、実施の形態１及び２よりコストを下げることができる。
【図面の簡単な説明】
【００２３】
【図１】一般的なエレベータのかご室の概略構造を示す透視斜視図である。
【図２】この発明の実施の形態１におけるエレベータかご室の要部構造を分解して示す斜視図である。
【図３】この発明の実施の形態１におけるエレベータかご室の要部構造を示す縦断面図である。
【図４】この発明の実施の形態１におけるエレベータかご室の要部構造の組立て手順を示す説明図である。
【図５】この発明の実施の形態２におけるエレベータかご室の要部構造を分解して示す斜視図である。
【図６】この発明の実施の形態２におけるエレベータかご室の幅木化粧カバーを示す斜視図である。
【図７】この発明の実施の形態２におけるエレベータかご室の要部構造を示す縦断面図である。
【図８】この発明の実施の形態２におけるエレベータかご室の要部構造を分解して示す斜視図である。
【図９】図８の要部を示す部分断面図である。
【図１０】この発明の実施の形態２におけるエレベータかご室の要部構造の組立て手順を示す説明図である。
【図１１】この発明の実施の形態３におけるエレベータかご室の要部構造を示す縦断面図である。
【図１２】従来のエレベータかご室の要部構造を分解して示す斜視図である。
【符号の説明】
【００２４】
１  かご室の壁
１ａ  壁本体
１ｂ  下端重合フランジ部
１ｃ  装着部
１ｄ  弾性係合片
１ｅ  水平フランジ部
１ｆ  下端垂直重合フランジ部
１ｇ  引っ掛り部
１ｈ  複数の穴
１ｉ  弾性係合片
２  幅木材
２ａ  幅木材本体
２ｂ  階段部
２ｃ  換気口を兼ねた係合穴
２ｄ  換気口
２ｅ  接合フランジ部
２ｆ  上端水平フランジ部
２ｇ  装着溝
２ｈ  装着部
２ｉ  載置部
２ｊ  凸部
２ｋ  上端水平フランジ部
２ｌ  垂直部
２ｍ  鉤型装着部
３  幅木化粧カバー
３ａ  幅木化粧カバー本体
３ｂ  弾性装着部
３ｃ  換気口
３ｄ  引っ掛り係合部
３ｅ  弾性装着部
４  かご床
５  タイル
６  かご操作盤
７  天井照明
８  ボルト・ナット
９  隙間
【図１】
2008024384.tif 000003
【図２】
2008024384.tif 000004
【図３】
2008024384.tif 000005
【図４】
2008024384.tif 000006
【図５】
2008024384.tif 000007
【図６】
2008024384.tif 000008
【図７】
2008024384.tif 000009
【図８】
2008024384.tif 000010
【図９】
2008024384.tif 000011
【図１０】
2008024384.tif 000012
【図１１】
2008024384.tif 000013
【図１２】
2008024384.tif 000014